(57)【特許請求の範囲】
【請求項１】
所定の図柄が印刷され、巻き癖が付与された帯状体の貼着領域が形成されたカード体であって、
前記所定の図柄が印刷され、巻き癖が付与された帯状体の貼着領域が形成された第１のシート体と、
メッセージ等の書込み領域が形成された第２のシート体と、
前記カード体に形成され、前記第１のシート体と前記第２のシート体とに区画する少なくとも２つの折り畳み線と、
少なくとも一部が透明に形成され、前記第１のシート体を被覆するカバー体であって、
前記第１のシート体の一方面を被覆し、第１のベース体と該第１のベース体の周縁全てに立設された第１の側壁とから形成された第１のカバー体と、
前記第１のシート体の他方面を被覆し、第２のベース体と該第２のベース体の周縁に立設された第２の側壁と該第２の側壁の一部が切り欠かれた切り欠きとから形成された第２のカバー体と、からなるカバー体と
を備え、
前記貼着領域に前記帯状体が貼着されることで、貼着された帯状体と前記所定の図柄とが一体化し立体感ある図柄を構成することを特徴とするカード体。
【請求項２】
前記カード体は、前記第２のカバー体への該カード体の嵌め合わせ後の該第２のカバー体からの該カード体の離脱を防止するために、前記第２の側壁に係合する係合部が形成されていることを特徴とする請求項１に記載のカード体。
【請求項３】
前記少なくとも２つの折り畳み線に沿って前記カード体を折り畳むことにより、前記第１のシート体と前記第２のシート体とが対向することを特徴とする請求項１または２に記載のカード体。
【請求項４】
前記第１のシート体には、前記帯状体の貼着領域を指示するための表示が形成されていることを特徴とする請求項１乃至３のいずれか１項に記載のカード体。
【発明の詳細な説明】
【技術分野】
【０００１】
本発明は、巻き癖が付与された帯状体を用いることで図柄に立体感を持たせたカード体に関するものである。
【背景技術】
【０００２】
スティック等の棒状体に細長い紙を巻き付けることで紙に巻き癖を付け、この巻き癖が付いた紙を組み合わせたりすることで作成した多種多様なパーツ（例えば花等）を貼着したボード等が提案されている（特許文献１を参照）。
【特許文献１】特開２００３−７６２８４
【発明の開示】
【発明が解決しようとする課題】
【０００３】
しかしながら、このようなボードでは、ボード上に何らの図柄も描かれてはおらず、巻き癖が付いた紙を組み合わせて作成したパーツのみで図柄を表現しているに過ぎなかった。
また、これらのパーツは、紙製ということで非常に潰れ易いにもかかわらずパーツを保護するカバーが設けられてはいなかった。
【０００４】
本願発明は、このような課題を鑑み発明されたものであって、図柄の一部にパーツを設けることでカード体に立体感を持たせ、かつパーツの破損を防止したカード体を提供することを目的とする。
【課題を解決するための手段】
【０００５】
上記の目的を達成するために本願発明に係わるカード体は、所定の図柄が印刷され、巻き癖が付与された帯状体の貼着領域が形成されたカード体であって、前記所定の図柄が印刷され、巻き癖が付与された帯状体の貼着領域が形成された第１のシート体と、メッセージ等の書込み領域が形成された第２のシート体と、前記カード体に形成され、前記第１のシート体と前記第２のシート体とに区画する少なくとも２つの折り畳み線と、
少なくとも一部が透明に形成され、前記第１のシート体を被覆するカバー体であって、
前記第１のシート体の一方面を被覆し、第１のベース体と該第１のベース体の周縁全てに立設された第１の側壁とから形成された第１のカバー体と、前記第１のシート体の他方面を被覆し、第２のベース体と該第２のベース体の周縁に立設された第２の側壁と該第２の側壁の一部が切り欠かれた切り欠きとから形成された第２のカバー体と、からなるカバー体とを備え、前記貼着領域に前記帯状体が貼着されることで、貼着された帯状体と前記所定の図柄とが一体化し立体感ある図柄を構成している。
【発明の効果】
【０００７】
本願発明によれば、図柄の一部にパーツを設けることでカード体に立体感を持たせて図柄の美観を向上させるとともに、パーツの破損を防止したカード体を提供できる。
【発明を実施するための最良の形態】
【０００８】
以下添付図面を参照して、本願発明の好適な実施形態について詳細に説明する。
【０００９】
本実施形態におけるカード体については、メッセージカード１００を例にとり説明する。図１は、メッセージカード１００の全体図であり、図１(a)はメッセージカード１００の一方面を、図１(b)はメッセージカード１００の他方面を示している。
【００１０】
このメッセージカード１００には、２つの折り畳み線１２５（１２７）,１２６（１２８）が描画（印刷）により形成され、この折り畳み線１２５（１２７）の上部を第１のシート体１１３とし、この折り畳み線１２６（１２８）の下部を第２のシート体１１４として、これらの折り畳み線１２５（１２７）,１２６（１２８）により挟まれた領域１１５を介して、メッセージカード１００を大きく二つの領域に区画している。なお、この領域１１５を形成した理由については後述する。
【００１１】
第１のシート体１１３には、植物１０８、動物１１１、太陽１０９等の複数の図柄が描画（印刷）されている。これら複数の図柄のうちの一部には、渦巻き状の図柄１０１,１０２,１０３,１０４,１０５,１０６が描画（印刷）されている。この渦巻き状の図柄１０１,１０２,１０３,１０４,１０５,１０６は後述する帯状体（例えば細長いテープ等）２０４により作成されたパーツ３００の貼着領域であり、このパーツ３００を貼着する領域を指示するための表示でもある。つまり、パーツ３００は渦巻き状の図柄が描画（印刷）された領域に貼着されることになる。なお、第１のシート体１１３の他方面１２０にも複数の図柄は描画（印刷）されているが、ここにパーツ３００を貼着する予定はないので渦巻き状の図柄は描画（印刷）されていない。
【００１２】
第２のシート体１１４の一方面には、メッセージ等を書き込む第１の書込み領域１１２が描画（印刷）されており、第２のシート体１１４の他方面１２１にも第１のシート体１１３の他方面１２０と同様に複数の図柄が描画（印刷）されている。具体的に、メッセージカード１００の他方面には、第１のシート体１１３の他方面１２０から第２のシート体１１４の他方面１２１にまで渡った一連の図柄１１９や、このメッセージカード１００の送り先の名前を書き込む第２の書込み領域を示す囲い１１８が描画（印刷）されている。
【００１３】
また、このメッセージカード１００は、後述する第２のカバー体４０２の側壁４１０,４１１に係合する係合部（本実施形態においては、切り込み）１１６（１２４）,１１７（１２３）が形成されている。
【００１４】
なお、このメッセージカード１００は、折り畳み線１２５（１２７）,１２６（１２８）に沿って折り畳む構成となっているため、メッセージカード１００の材質は紙等の柔軟性のある素材で構成されることが好ましく、またメッセージカード１００は不透明で構成されることが好ましい。
【００１５】
図２は、メッセージカード１００に用いるパーツである帯状体（例えば細長いテープ等）２０４に巻き癖を付与するためのスティック等の棒状体の工具２００の斜視図である。この工具２００は、把持部２０１とスリット２０３が形成された先端部２０２とから形成され、このスリット２０３に帯状体２０４の一端を挟み、帯状体２０４を先端部２０２に巻き付けるように工具２００を回転させることで巻き癖が付与された渦巻き状のパーツ３００を作成する。このように作成されたパーツ３００は、巻き終わり部分を糊等の接着剤で接着したうえで、各パーツにおける短手（高さ）方向の長さが一定となるように外形を整える作業を行う。
【００１６】
図３は、このように作成されたパーツ３００の一例である。パーツ３０１は上述の工具２００により軽く巻き癖を付与して作成されたもので、帯状体２０４の面同士は密着せず余裕を持たせた渦巻き状に作成される。また、パーツ３０２,３０３,３０４,３０５,３０６は工具２００により強い巻き癖を付与して複数個作成し、これら作成されたパーツを糊等の接着剤で接着することにより組み合わされた複合パーツである。これら複合パーツの大きさ（外径）を変えるためには巻き癖の強弱を調節することにより行う。なお、ここで紹介したパーツ３００の形状や大きさ（外径）を各々異ならせているのは、メッセージカード１００におけるこれらのパーツ３００を貼着するための貼着領域の形状や大きさが各々異なっているためである。
【００１７】
図４は、第１のシート体１１３の一方面及び他方面を被覆（カバー）するためのカバー体４００を示し、カバー体４００は第１のカバー体４０１と第２のカバー体４０２とに分割され、第１のカバー体４０１と第２のカバー体４０２とは嵌め合せられるような形状・大きさに形成されている。第１のカバー体４０１はベース体４０３とこのベース体４０３の周縁に立設された側壁４０４,４０５及びこれら側壁４０４,４０５と相対する位置に立設された図示しない側壁とにより形成されている。第２のカバー体４０２はベース体４０９とこのベース体４０９の周縁に立設された側壁４０６,４０７,４０８,４１０,４１１とにより形成されている。ここで、第２のカバー体４０２を見るとその周縁全てには側壁が立設されておらず、切り欠き４１２において切り欠かれているので、側壁４１０,４１１の長手方向の長さは他の側壁４０６,４０７,４０８の長手方向の長さに比べて短くなっている。なお、第１のカバー体４０１と第２のカバー体４０２は合成樹脂から成り、各々のカバー体の少なくとも一部が透明に形成されている。
【００１８】
図５は、メッセージカード１００の第１のシート１１３に工具２００により作成されたパーツ３００が貼着され、第２のシート１１４のメッセージ等を書き込む書込み領域１１２にメッセージ５０１が書き込まれた状態を示している。
【００１９】
どのパーツ３００を第１のシート体１１３のどの図柄部分に貼着するかについては、第１のシート体１１３に描画（印刷）された渦巻き状の図柄１０１,１０２,１０３,１０４,１０５,１０６の形状・大きさに合致するパーツ３０１,３０２,３０３,３０４,３０５,３０６の何れかを選択して第１のシート体１１３に貼着することになる。
【００２０】
具体的には、パーツ３０１は、第１のシート体１１３に描画（印刷）された太陽の図柄
１０９の一部を構成する渦巻き状の図柄１０４と形状・大きさが合致するので、この渦巻
き状の図柄１０４上に貼着されることになる。これにより貼着されたパーツ３０１と太陽
の図柄１０９とが一体化し立体感ある図柄を構成することができる。また、パーツ３０２
は、第１のシート体１１３に描画（印刷）された植物の図柄１０８の一部を構成する渦巻
き状の図柄１０２と形状・大きさが合致するので、この渦巻き状の図柄１０２上に貼着さ
れることになる。これにより貼着されたパーツ３０２と植物の図柄１０８とが一体化し立
体感ある図柄を構成することができる。以下同様に、渦巻き状の図柄の形状・大きさに合
せて、パーツ３０３は渦巻き状の図柄１０５上に、パーツ３０４は渦巻き状の図柄１０１
上に、パーツ３０５は渦巻き状の図柄１０３上に、パーツ３０６は渦巻き状の図柄１０６
上に貼着されることとなる。
【００２１】
また、第２のシート体１１４のメッセージ等を書き込む書込み領域１１２には筆記具に
より「Ｔｏ さくら  プレゼントありがとう  大切にするね  Ｆｒｏｍ ゆり」と書き込ん
だが、このようにメッセージカード１００を渡す相手へのメッセージに限らずどのような
内容を書き込んでもよい。
【００２２】
図６は、第２のカバー体４０２にメッセージカード１００の第１のシート体１１３（パ
ーツ３００を全て貼着し、メッセージ等を書き込む書込み領域１１２にメッセージ等を書
き込んだ状態のもの）を嵌め合わせた状態を示している。
【００２３】
第１のシート体１１３と第２のカバー体４０２の第２のベース体４０９とは略同一の形
状・大きさを成し、またメッセージカード１００は、第２のカバー体４０２の側壁４１０,
４１１に係合する切り込み１１６（１２４）,１１７（１２３）が形成されている。この切
り込み１１６（１２４）,１１７（１２３）が第２のカバー体４０２の側壁４１０,４１１に
係合することで、第２のカバー体４０２からのメッセージカード１００の離脱が防止され
る。
【００２４】
なお、第２のカバー体４０２からのメッセージカード１００の離脱が防止される構造で
あれば、上述の構造に限られるものではない。
【００２５】
図７は、図６で示した第２のカバー体４０２にメッセージカード１００を嵌め合わせた
状態のものに、さらに第１のカバー体４０１を嵌め合わせた状態のものを示している。こ
の第１のカバー体４０１を嵌め合わせることで、メッセージカード１００は第１の切り欠
き４１２部分において第１のカバー体４０１と第２のカバー体４０２とにより挟持され、
メッセージカード１００のがたつきを防止している。また、第１のカバー体４０１と第２
のカバー体４０２との嵌め合わせが外れないようにするために、第１のカバー体４０１と
第２のカバー体４０２とを接着テープで留めておいてもよい。
【００２６】
ここで、第２のカバー体４０２に第１のカバー体４０１を嵌め合わせた際に、メッセー
ジカード１００の第１のシート体１１３に貼着されたパーツ３０１,３０２,３０３,３０
４,３０５,３０６が第１のカバー体４０１によって押し潰されないようにするために、ベ
ース体４０３の周縁に立設された側壁４０４,４０５及びこれら側壁４０４,４０５と相対
する位置に立設された図示しない側壁の短手（高さ）方向の長さと、ベース体４０９の
周縁に立設された側壁４０６,４０７,４０８,４１０,４１１の短手（高さ）方向の長さと
は、第１のシート体１１３に貼着されたパーツ３００の短手（高さ）方向の長さよりも長
く設定されている。この第１のカバー体４０１の存在により、第１のシート体１１３に貼
着されたパーツ３００は、簡単には押し潰されないよう保護される。また、用いるパーツ
の短手（高さ）方向の長さに応じて適宜、側壁の短手（高さ）方向の長さが異なるカバー
体を用いることもできる。
【００２７】
さらに、第１のカバー体４０１の少なくとも一部は透明に形成されているため、第１の
カバー体を通して第１のシート体１１３に形成された図柄を視認することができる。
【００２８】
図８は、図７で示したメッセージカード１００を折り畳み線１２５,１２６に沿って内側に折り畳むことにより第１のシート体１１３の一方面が、第１のカバー体４０１のベース体４０３を介して第２のシート体１１４の一方面と対向する状態となる。
【００２９】
なお、メッセージカード１００に、折り畳み線１２５（１２７）、１２６（１２８）により挟まれた領域１１５を形成したことにより、第１のカバー体４０１及び第２のカバー体４０２の側壁の短手（高さ）方向の長さ分が確保されるため、メッセージカード１００を折り畳んだ際のメッセージカード１００の不必要な変形を回避することができる。
【００３０】
図７で示した状態のメッセージカード１００ではパーツ３００で作った図柄や書き込んだメッセージ５０１が一目瞭然であるため、このまま相手に渡したのでは相手からの喜びや驚きを得ることができない。そこで、相手に渡す際には、まずメッセージカード１００の送り先の名前を書き込む第２の書込み領域を示す囲い１１８内に送り先の名前８０１を書き込み、メッセージカード１００を折り畳んでメッセージカード８００として、相手に渡したほうが、相手がメッセージカード８００を開いたときの喜びや驚きを得やすいであろう。
【図面の簡単な説明】
【００３１】
【図１】本願発明に係わるカード体であり(a)は一方面、(b)は他方面を表す全体図である。
【図２】本願発明に係わるカード体に用いるパーツを作成するための工具の斜視図である。
【図３】本願発明に係わるカード体に用いる複数のパーツの斜視図である。
【図４】本願発明に係わるカード体に用いるカバー体の斜視図である。
【図５】本願発明に係わるカード体の使用例を表す斜視図である。
【図６】本願発明に係わるカード体他方面にカバー体を被せた使用例を表す斜視図である。
【図７】本願発明に係わるカード体一方面及び他方面にカバー体を被せた使用例を表す斜視図である。
【図８】本願発明に係わるカード体を折り曲げた状態を表す斜視図である。
【符号の説明】
【００３２】
１００  メッセージカード
１０１,１０２,１０３,１０４,１０５,１０６  渦巻き状の図柄
１０８  植物の図柄
１０９  太陽の図柄
１１１  動物の図柄
１１２  第１の書き込み領域
１１３  第１のシート体（一方面）
１１４  第２のシート体（一方面）
１１６（１２４）,１１７（１２３）  切り込み
１１８  第２の書き込み領域
１１９  一連の図柄
１２０  第１のシート体の他方面
１２１  第２のシート体の他方面
１２５（１２７）,１２６（１２８）  折り畳み線
２００  工具
２０１  把持部
２０２  先端部
２０３  スリット
２０４  帯状体
３００  パーツ
４００  カバー体  
４０１  第１のカバー体
４０２  第２のカバー体
４０３  第１のベース体
４０４,４０５,４０６,４０７,４０８,４１０,４１１  側壁
４０９  第２のベース体
【要約】
【課題】図柄の一部にパーツを設けることでカードに立体感を持たせ、かつパーツの破損を防止したカードを提供することを目的とする。
【解決手段】
所定の図柄が印刷され、巻き癖が付与された帯状体の貼着領域が形成されたカード体であって、前記貼着領域に前記帯状体が貼着されることで、貼着された帯状体と前記所定の図柄とが一体化し立体感ある図柄を構成する。さらに、カード体は、第１のシート体が少なくとも一部が透明に形成されたカバー体により被覆される。
【選択図】図７【図１】
0004276693.tif 000002
【図２】
0004276693.tif 000003
【図３】
0004276693.tif 000004
【図４】
0004276693.tif 000005
【図５】
0004276693.tif 000006
【図６】
0004276693.tif 000007
【図７】
0004276693.tif 000008
【図８】
0004276693.tif 000009